Podtech/llm-jp-corpus-v4-ja_patent huggingface dataset:
【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
ハンドヘルド噴霧器であって、
−制御装置および作動装置を備える本体
ここで、前記制御装置は、化合物の噴霧粒子を対象に送達するために、前記作動装置と電気通信している；
−噴霧を行なうための取り外し可能なカートリッジを収容するための噴霧チャンバー、噴霧粒子へと噴霧される化合物の混合物を保持するための前記の取り外し可能なカートリッジ
ここで、噴霧エレメントは、前記の取り外し可能なカートリッジに固定または着脱可能に取り付けられて、
ここで、前記の取り外し可能なカートリッジは、前記制御装置と電気通信している、
を含む、
ハンドヘルド噴霧器。
【請求項２】
請求項１に記載のハンドヘルド噴霧器であって、
前記噴霧チャンバーは、出口を備え、
前記出口は、前記噴霧粒子の流れを案内するための、前記噴霧チャンバーに連結された案内ノズルと液体連通している、
ハンドヘルド噴霧器
【請求項３】
請求項１または２のいずれか一項に記載のハンドヘルド噴霧器であって、
前記噴霧粒子は、約５μｍまたはそれよりも小さい平均サイズを有する、
ハンドヘルド噴霧器。
【請求項４】
請求項１から３のいずれか一項に記載のハンドヘルド噴霧器であって、
さらなる取り外し可能なカートリッジを収容するための保管チャンバーをさらに備える、
ハンドヘルド噴霧器。
【請求項５】
請求項１から４のいずれか一項に記載のハンドヘルド噴霧器であって、
噴霧前に前記の取り外し可能なカートリッジ中の混合物を加熱するための加熱エレメントをさらに備える、
ハンドヘルド噴霧器。
【請求項６】
請求項５に記載のハンドヘルド噴霧器であって、
加熱および噴霧後に送達される前記噴霧粒子は、前記対象が吸入するのに適切な平均温度を有する、
ハンドヘルド噴霧器。
【請求項７】
請求項５または６のいずれか一項に記載のハンドヘルド噴霧器であって、
前記加熱エレメントは、加熱コイル、加熱板、銅管、およびそれらの組み合わせからなる群より選択される、
ハンドヘルド噴霧器。
【請求項８】
請求項６または７のいずれか一項に記載のハンドヘルド噴霧器であって、
前記平均温度は、約２５℃〜約４０℃である、
ハンドヘルド噴霧器。
【請求項９】
請求項１から８のいずれか一項に記載のハンドヘルド噴霧器であって、
前記の取り外し可能なカートリッジの一致性を判定するための、前記制御装置により認識される識別エレメントをさらに備える、
ハンドヘルド噴霧器。
【請求項１０】
請求項９に記載のハンドヘルド噴霧器であって、
前記識別エレメントは、前記の取り外し可能なカートリッジに組み込まれている、または、前記の取り外し可能なカートリッジに取り付けられた別個のエレメントである、
ハンドヘルド噴霧器。
【請求項１１】
請求項９または１０のいずれか一項に記載のハンドヘルド噴霧器であって、
前記識別エレメントは、ＲＦＩＤタグ、電子チップカード、印刷ラベル、取り外し可能なカートリッジの設計構造およびそれらの組み合わせからなる群より選択される、
ハンドヘルド噴霧器。
【請求項１２】
請求項９から１１のいずれか一項に記載のハンドヘルド噴霧器であって、
前記制御装置は、前記の取り外し可能なカートリッジの一致性に従って、前記噴霧器のプリセットパラメーターを調節する、
ハンドヘルド噴霧器。
【請求項１３】
請求項１から１２のいずれか一項に記載のハンドヘルド噴霧器であって、
前記制御装置は、ディスプレイ、タイマー、センサー、入力ボタン、回路基板、データベースまたはそれらの組み合わせを備える、
ハンドヘルド噴霧器。
【請求項１４】
請求項１から１３のいずれか一項に記載のハンドヘルド噴霧器であって、
前記作動装置は、ユーザーの呼吸に応答し、
前記作動装置は、気流または気圧の変化を検出するための作動エレメントを備える、
ハンドヘルド噴霧器。
【請求項１５】
請求項１４に記載のハンドヘルド噴霧器であって、
前記噴霧チャンバーは、前記噴霧チャンバーに連結された案内ノズルと液体連通した出口を備え、
前記案内ノズルは、一方向弁をさらに備える、
ハンドヘルド噴霧器。
【請求項１６】
ハンドヘルド噴霧器のための取り外し可能なカートリッジであって、
噴霧エレメントを備える、
取り外し可能なカートリッジ。
【請求項１７】
請求項１６に記載の取り外し可能なカートリッジであって、
前記の取り外し可能なカートリッジは、化合物の混合物を含み、
前記噴霧エレメントは、前記混合物を噴霧して、約５μｍまたはそれよりも小さい平均サイズを有する噴霧粒子を産生する、
取り外し可能なカートリッジ。
【請求項１８】
請求項１６または１７のいずれか一項に記載の取り外し可能なカートリッジであって、
前記混合物を加熱するための加熱エレメントをさらに備える、
取り外し可能なカートリッジ。
【請求項１９】
請求項１６から１８のいずれか一項に記載の取り外し可能なカートリッジであって、
前記の取り外し可能なカートリッジの一致性を判定するための、前記ハンドヘルド噴霧器により認識される識別エレメントをさらに備える、
取り外し可能なカートリッジ。
【請求項２０】
請求項１９に記載の取り外し可能なカートリッジであって、
前記識別エレメントは、前記の取り外し可能なカートリッジ内に組み込まれた設計構造である、
取り外し可能なカートリッジ。
【請求項２１】
請求項１９に記載の取り外し可能なカートリッジであって、
前記識別エレメントは、ＲＦＩＤタグ、電子チップカード、印刷ラベル、およびそれらの組み合わせからなる群より選択される、
取り外し可能なカートリッジ。
【手続補正書】
【提出日】令和2年7月30日(2020.7.30)
【手続補正１】
【補正対象書類名】明細書
【補正対象項目名】００１４
【補正方法】変更
【補正の内容】
【００１４】
印刷装置１００は、例えば、布７を印刷する。印刷装置１００は、少なくとも、インク吐出装置１と版装置２、搬送装置３を含む。印刷装置１００は、版による印刷と、インクジェットによる印刷の両方を行える複合型の印刷システムである。更に、印刷装置１００は、制御装置４、給布装置５、定着装置６ａ、洗浄装置６ｂを含んでもよい。
【手続補正書】
【提出日】令和2年1月17日(2020.1.17)
【手続補正１】
【補正対象書類名】特許請求の範囲
【補正対象項目名】全文
【補正方法】変更
【補正の内容】
【特許請求の範囲】
【請求項１】
第１管状部と、
第２管状部と、
第１管状部と第２管状部とを連結する屈曲部と、
ワイドボディを有し、第１管状部に配置された逆止弁と、
密封可能な開口部を含む、薬剤を保持する区画を有するキャップと、
を備え、
前記ワイドボディは、空気の流れの方向に関して両側に隣接する部分よりも大きい断面形状を有し、
前記逆止弁は、第１管状部から第２管状部へ空気が流れることを可能にし、
第２管状部の近位端部は、前記キャップ内に位置し、かつ、前記密封可能な開口部に当接し、および、
前記密封可能な開口部をシールするシール手段を除去することにより、薬剤が第２管状部を介して、前記屈曲部に流れる、
薬剤送出装置。
【請求項２】
第２管状部の前記近位端部の側面が、円錐形の先端を形成するよう３０°〜４０°の角度で内側に向けて傾斜している、請求項１に記載の薬剤送出装置。
【請求項３】
第２管状部の前記近位端部の前記側面が、３８°の角度で内側に向けて傾斜している、請求項２に記載の薬剤送出装置。
【請求項４】
前記逆止弁は、ダイアフラム逆止弁、スイング逆止弁、ストップ逆止弁、リフト逆止弁、インライン逆止弁、ダックビル逆止弁、空気式不可逆弁のいずれかから選択される、請求項１に記載の薬剤送出装置。
【請求項５】
第１管状部の内部に、前記逆止弁と直列に配置される第２逆止弁をさらに備える、請求項１に記載の薬剤送出装置。
【請求項６】
前記逆止弁は、
テーパ状バルブシール、空気入口、および、第１嵌合部を有する、空気入口部と、
当接面、空気出口、および、第２嵌合部を有する、空気出口部と、
足場構造を有し、かつ、近位端部と遠位端部とを有する、シャフトと、
前記シャフトの前記遠位端部を囲むバネと、
を備え、
第１嵌合部は第２嵌合部に接合され、
前記シャフトの前記近位端部は、前記シャフトに周囲を囲むように形成された弁ディスクを備え、
前記バネの近位端部が前記当接面に隣接し、前記バネの遠位端部が前記弁ディスクに付勢力を及ぼして、該弁ディスクと前記テーパ状バルブシールとの気密接続を形成し、空気出口部から空気入口部への空気の流れを制限する、
請求項１に記載の薬剤送出装置。
【請求項７】
前記空気入口が前記バネの付勢力より大きい空気力を受けた際に、前記バネが圧縮されて、前記気密接続が解除され、前記空気入口から前記空気出口へ空気が流れることが可能になる、請求項６に記載の薬剤送出装置。
【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
判定を実行する判定手段と、
その判定手段による判定結果を示すための識別情報を表示する表示手段と、
その表示手段に前記識別情報の動的表示を実行する動的表示実行手段と、
その動的表示実行手段により動的表示される前記識別情報の動的表示態様を決定する動的表示態様決定手段と、
遊技者が操作可能な操作手段と、
前記動的表示実行手段により前記識別情報が動的表示されている場合に、前記操作手段が操作されたことに基づいて、情報を前記表示手段に表示させる情報表示実行手段と、を有した遊技機において、
前記動的表示態様決定手段により決定される前記動的表示態様には、前記操作手段が操作されることで前記情報が表示されることが可能な有効期間が複数設定される特殊動的表示態様が設定されており、
前記遊技機は、
前記特殊動的表示態様に設定されており前記操作手段が操作されて前記情報表示実行手段により前記情報が表示されうる回数に対応する特定情報を遊技者に報知する報知手段と、
前記動的表示実行手段により前記特殊動的表示態様が動的表示されることで設定されている１の前記有効期間が経過することに基づいて、前記情報が表示されうる回数に対応する前記特定情報を更新して設定する設定手段と、を有し、
前記遊技機は、
前記有効期間中に前記操作手段を操作可能である報知を実行しないものであり、
遊技者に有利な特典が付与される特定の前記判定結果を示すための前記識別情報が表示された後に１以上の回数に対応した前記特定情報を表示可能に構成されているものであることを特徴とする遊技機。
【請求項２】
前記表示手段は、液晶ディスプレイで構成されていることを特徴とする請求項１記載の遊技機。
【手続補正２】
【補正対象書類名】明細書
【補正対象項目名】０００７
【補正方法】変更
【補正の内容】
【０００７】
この目的を達成するために本発明の遊技機は、判定を実行する判定手段と、その判定手段による判定結果を示すための識別情報を表示する表示手段と、その表示手段に前記識別情報の動的表示を実行する動的表示実行手段と、その動的表示実行手段により動的表示される前記識別情報の動的表示態様を決定する動的表示態様決定手段と、遊技者が操作可能な操作手段と、前記動的表示実行手段により前記識別情報が動的表示されている場合に、前記操作手段が操作されたことに基づいて、情報を前記表示手段に表示させる情報表示実行手段と、を有し、前記動的表示態様決定手段により決定される前記動的表示態様には、前記操作手段が操作されることで前記情報が表示されることが可能な有効期間が複数設定される特殊動的表示態様が設定されており、前記遊技機は、前記特殊動的表示態様に設定されており前記操作手段が操作されて前記情報表示実行手段により前記情報が表示されうる回数に対応する特定情報を遊技者に報知する報知手段と、前記動的表示実行手段により前記特殊動的表示態様が動的表示されることで設定されている１の前記有効期間が経過することに基づいて、前記情報が表示されうる回数に対応する前記特定情報を更新して設定する設定手段と、を有し、前記遊技機は、前記有効期間中に前記操作手段を操作可能である報知を実行しないものであり、遊技者に有利な特典が付与される特定の前記判定結果を示すための前記識別情報が表示された後に１以上の回数に対応した前記特定情報を表示可能に構成されているものである。
【手続補正３】
【補正対象書類名】明細書
【補正対象項目名】０００９
【補正方法】変更
【補正の内容】
【０００９】
本発明の遊技機によれば、判定を実行する判定手段と、その判定手段による判定結果を示すための識別情報を表示する表示手段と、その表示手段に前記識別情報の動的表示を実行する動的表示実行手段と、その動的表示実行手段により動的表示される前記識別情報の動的表示態様を決定する動的表示態様決定手段と、遊技者が操作可能な操作手段と、前記動的表示実行手段により前記識別情報が動的表示されている場合に、前記操作手段が操作されたことに基づいて、情報を前記表示手段に表示させる情報表示実行手段と、を有し、前記動的表示態様決定手段により決定される前記動的表示態様には、前記操作手段が操作されることで前記情報が表示されることが可能な有効期間が複数設定される特殊動的表示態様が設定されており、前記遊技機は、前記特殊動的表示態様に設定されており前記操作手段が操作されて前記情報表示実行手段により前記情報が表示されうる回数に対応する特定情報を遊技者に報知する報知手段と、前記動的表示実行手段により前記特殊動的表示態様が動的表示されることで設定されている１の前記有効期間が経過することに基づいて、前記情報が表示されうる回数に対応する前記特定情報を更新して設定する設定手段と、を有し、前記遊技機は、前記有効期間中に前記操作手段を操作可能である報知を実行しないものであり、遊技者に有利な特典が付与される特定の前記判定結果を示すための前記識別情報が表示された後に１以上の回数に対応した前記特定情報を表示可能に構成されているものである。
【手続補正書】
【提出日】令和2年1月28日(2020.1.28)
【手続補正１】
【補正対象書類名】特許請求の範囲
【補正対象項目名】全文
【補正方法】変更
【補正の内容】
【特許請求の範囲】
【請求項１】
識別情報を表示可能な表示手段と、
所定条件の成立に基づいて、前記表示手段において前記識別情報が予め定められた第１態様で動的表示される第１態様期間を少なくとも含んで構成される第１動的表示態様で前記識別情報を動的表示させることが少なくとも可能な動的表示手段と、
前記識別情報の動的表示において予め定められた特定の識別情報が停止表示されたことに基づいて、遊技者に有利な特典遊技を実行する特典遊技実行手段と、を備えた遊技機において、
予め定められた特定条件の成立に基づいて、前記識別情報の動的表示とは異なる特定表示を前記表示手段に表示させる表示制御手段と、
前記特定表示の表示期間と少なくとも一部が重複する動的表示期間の前記識別情報の動的表示を開始させる場合の動的表示態様として、前記第１態様で前記識別情報が動的表示されるよりも前記特定表示が視認し易くなる第２態様で前記識別情報が動的表示される第２態様期間を少なくとも含んで構成される第２動的表示態様と、前記第２態様で前記識別情報が動的表示された場合よりも前記特定表示の表示範囲が広くなる表示態様であって前記第１態様で前記識別情報が動的表示されるよりも前記特定表示が視認し易くなる表示態様である第３態様で前記識別情報が動的表示される期間である第３態様期間を少なくとも含んで構成される第３動的表示態様と、を少なくとも含む複数の動的表示態様うち１の動的表示態様に設定可能な態様設定手段と、を備えることを特徴とする遊技機。
【請求項２】
所定の遊技媒体を用いて遊技可能に構成されていることを特徴とする請求項１記載の遊技機。
【手続補正２】
【補正対象書類名】明細書
【補正対象項目名】０００６
【補正方法】変更
【補正の内容】
【０００６】
この目的を達成するために請求項１記載の遊技機は、識別情報を表示可能な表示手段と、所定条件の成立に基づいて、前記表示手段において前記識別情報が予め定められた第１態様で動的表示される第１態様期間を少なくとも含んで構成される第１動的表示態様で前記識別情報を動的表示させることが少なくとも可能な動的表示手段と、前記識別情報の動的表示において予め定められた特定の識別情報が停止表示されたことに基づいて、遊技者に有利な特典遊技を実行する特典遊技実行手段と、を備えたものであり、予め定められた特定条件の成立に基づいて、前記識別情報の動的表示とは異なる特定表示を前記表示手段に表示させる表示制御手段と、前記特定表示の表示期間と少なくとも一部が重複する動的表示期間の前記識別情報の動的表示を開始させる場合の動的表示態様として、前記第１態様で前記識別情報が動的表示されるよりも前記特定表示が視認し易くなる第２態様で前記識別情報が動的表示される第２態様期間を少なくとも含んで構成される第２動的表示態様と、前記第２態様で前記識別情報が動的表示された場合よりも前記特定表示の表示範囲が広くなる表示態様であって前記第１態様で前記識別情報が動的表示されるよりも前記特定表示が視認し易くなる表示態様である第３態様で前記識別情報が動的表示される期間である第３態様期間を少なくとも含んで構成される第３動的表示態様と、を少なくとも含む複数の動的表示態様うち１の動的表示態様に設定可能な態様設定手段と、を備える。
【手続補正３】
【補正対象書類名】明細書
【補正対象項目名】０００７
【補正方法】変更
【補正の内容】
【０００７】
請求項２記載の遊技機は、請求項１記載の遊技機において、所定の遊技媒体を用いて遊技可能に構成されている。
【手続補正４】
【補正対象書類名】明細書
【補正対象項目名】００１０
【補正方法】変更
【補正の内容】
【００１０】
本発明の遊技機によれば、識別情報を表示可能な表示手段と、所定条件の成立に基づいて、前記表示手段において前記識別情報が予め定められた第１態様で動的表示される第１態様期間を少なくとも含んで構成される第１動的表示態様で前記識別情報を動的表示させることが少なくとも可能な動的表示手段と、前記識別情報の動的表示において予め定められた特定の識別情報が停止表示されたことに基づいて、遊技者に有利な特典遊技を実行する特典遊技実行手段と、を備えたものであり、予め定められた特定条件の成立に基づいて、前記識別情報の動的表示とは異なる特定表示を前記表示手段に表示させる表示制御手段と、前記特定表示の表示期間と少なくとも一部が重複する動的表示期間の前記識別情報の動的表示を開始させる場合の動的表示態様として、前記第１態様で前記識別情報が動的表示されるよりも前記特定表示が視認し易くなる第２態様で前記識別情報が動的表示される第２態様期間を少なくとも含んで構成される第２動的表示態様と、前記第２態様で前記識別情報が動的表示された場合よりも前記特定表示の表示範囲が広くなる表示態様であって前記第１態様で前記識別情報が動的表示されるよりも前記特定表示が視認し易くなる表示態様である第３態様で前記識別情報が動的表示される期間である第３態様期間を少なくとも含んで構成される第３動的表示態様と、を少なくとも含む複数の動的表示態様うち１の動的表示態様に設定可能な態様設定手段と、を備える。
【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
ユーザの操作に応じてビデオゲームの進行を制御する機能をサーバに実現させるためのビデオゲーム処理プログラムであって、
前記サーバに、
前記ユーザが選択可能なアイテムの画像および属性を示すアイテム選択画像を当該ユーザが操作する端末に表示させる表示機能と、
前記アイテム選択画像として表示させたアイテムの中から前記ユーザの操作に応じたアイテムを選択する選択機能と、
前記選択機能により選択した選択アイテムと、当該選択アイテムとは異なる構成となるように予め設定された所定アイテムからなる非選択アイテムとを含むテーブルを所定のポリシに基づいて作成する作成機能と、
前記テーブルを用いた抽選を行う抽選機能とを
実現させるためのビデオゲーム処理プログラム。
【請求項２】
通信ネットワークと、サーバと、ユーザ端末とを備え、ユーザの操作に応じてビデオゲームの進行を制御するビデオゲーム処理システムであって、
前記ユーザが選択可能なアイテムの画像および属性を示すアイテム選択画像を当該ユーザが操作する端末に表示させる表示手段と、
前記アイテム選択画像として表示させたアイテムの中から前記ユーザの操作に応じたアイテムを選択する選択手段と、
前記選択手段により選択した選択アイテムと、当該選択アイテムとは異なる構成となるように予め設定された所定アイテムからなる非選択アイテムとを含むテーブルを所定のポリシに基づいて作成する作成手段と、
前記テーブルを用いた抽選を行う抽選手段とを含む
ことを特徴とするビデオゲーム処理システム。
【請求項３】
ユーザの操作に応じてビデオゲームの進行を制御する機能をユーザ端末に実現させるためのビデオゲーム処理プログラムであって、
前記ユーザ端末に、
前記ユーザが選択可能なアイテムの画像および属性を示すアイテム選択画像を当該ユーザが操作する端末に表示させる表示機能と、
前記アイテム選択画像として表示させたアイテムの中から前記ユーザの操作に応じたアイテムを選択する選択機能と、
前記選択機能により選択した選択アイテムと、当該選択アイテムとは異なる構成となるように予め設定された所定アイテムからなる非選択アイテムとを含むテーブルを所定のポリシに基づいて作成する作成機能と、
前記テーブルを用いた抽選を行う抽選機能とを
実現させるためのビデオゲーム処理プログラム。
【手続補正書】
【提出日】令和2年10月27日(2020.10.27)
【手続補正１】
【補正対象書類名】明細書
【補正対象項目名】００３０
【補正方法】変更
【補正の内容】
【００３０】
ケーブル３７，３８は、ブラケット４０に取り付けられている。ケーブル３７，３８は、例えば、イグニッションコイル３１へ電圧を印加する（電力を供給する）電力ケーブル、ホイールセンサの検出結果の信号を伝達する信号ケーブル、又は、クラッチレバーへ掛かった力を伝達する動力ケーブル等である。
【手続補正２】
【補正対象書類名】明細書
【補正対象項目名】００４３
【補正方法】変更
【補正の内容】
【００４３】
第１固定部４１ｃには、イグニッションコイル取付部４３が溶接により接続されている。図５に示すように、イグニッションコイル取付部４３は略Ｕ字状（略コ字状）であり、対向して配置される２枚の対向板と、２枚の対向板の一端（下端）の一部同士を接続する接続板と、を備える。それぞれの対向板は、第１固定部４１ｃと第２固定部４１ｅの両方に溶接されている。
【手続補正書】
【提出日】令和2年4月10日(2020.4.10)
【手続補正１】
【補正対象書類名】明細書
【補正対象項目名】００２５
【補正方法】変更
【補正の内容】
【００２５】
変速装置Ｔは、外装変速機を含む。一例では、変速装置Ｔは、フロントディレーラＴＦおよびリアディレーラＴＲの少なくとも１つを含む。フロントディレーラＴＦは、フレームＡ１のフロントスプロケットアセンブリＤ１付近に設けられる。フロントディレーラＴＦによって、チェーンＤ３が巻き掛けられるフロントスプロケットＤ１１が変更されることで人力駆動車Ａの変速比が変更される。リアディレーラＴＲは、フレームＡ１のリアエンドＡ３に設けられる。リアディレーラＴＲによって、チェーンＤ３が巻き掛けられるリアスプロケットＤ２１が変更されることで人力駆動車Ａの変速比が変更される。一例では、シフトレバーＳＬの操作に応じて、変速装置Ｔが電気的に駆動される。具体的には、シフトレバーＳＬの操作に応じてアクチュエータＯＴ２が駆動され、可動部材ＯＴ１が動作することで人力駆動車Ａの変速比が変更される。なお、変速装置Ｔは、内装変速機を含んでいてもよい。
【手続補正２】
【補正対象書類名】明細書
【補正対象項目名】００２７
【補正方法】変更
【補正の内容】
【００２７】
サスペンションＳＵは、フロントサスペンションＳＦおよびリアサスペンション（図示略）の少なくとも１つを含む。フロントサスペンションＳＦは、前輪ＷＦが地面から受ける衝撃が緩和されるように動作する。リアサスペンションは、後輪ＷＲが地面から受ける衝撃が緩和されるように動作する。一例では、サスペンション操作装置の操作に応じて、対応するサスペンションＳＵが電気的に駆動される。具体的には、サスペンション操作装置の操作に応じてアクチュエータＯＴ２が駆動され、可動部材ＯＴ１が動作することでサスペンションＳＵの動作状態が変更される。サスペンションＳＵの可動部材ＯＴ１は、例えばサスペンションＳＵの流体バルブ（図示略）を含む。サスペンションＳＵの動作状態は、変位状態、トラベル量、減衰力、および、反発力の少なくとも１つを含む。
【手続補正３】
【補正対象書類名】明細書
【補正対象項目名】００５４
【補正方法】変更
【補正の内容】
【００５４】
（第３実施形態）
図９および図１０を参照して、第３実施形態の制御システム１０について説明する。第１実施形態と共通する構成については、第１実施形態と同一の符号を付し、重複する説明を省略する。
【手続補正書】
【提出日】令和2年4月6日(2020.4.6)
【手続補正１】
【補正対象書類名】特許請求の範囲
【補正対象項目名】全文
【補正方法】変更
【補正の内容】
【特許請求の範囲】
【請求項１】
演出を行う演出装置と、
外周面に複数の図柄が付された複数の回転リールと、
前記複数の回転リールを回転させるスタートスイッチと、
前記複数の回転リールに対応して設けられ、前記回転リールを停止させる複数の停止スイッチと、
回転中の前記複数の回転リールの停止を制御するリール制御手段と、
前記演出装置を制御する演出制御手段と、を備え、
前記複数の回転リールを停止させた際に所定位置に表示し得る図柄組合せを決定する遊技機であって、
前記リール制御手段は、前記表示し得る図柄組合せ、又は、前記表示し得る図柄組合せと異なる図柄組合せを所定位置に表示可能となるように前記複数の回転リールを停止可能に制御し、
前記演出制御手段は、前記複数の回転リールの一部が停止した際に、前記表示し得る図柄組合せの一部が前記所定位置に表示された場合と、前記表示し得る図柄組合せと異なる図柄組合せの一部が前記所定位置に表示された場合とで、前記演出装置の制御の態様を異ならせる、
ことを特徴とする遊技機。
【手続補正２】
【補正対象書類名】明細書
【補正対象項目名】０００７
【補正方法】変更
【補正の内容】
【０００７】
本発明は、演出を行う演出装置と、外周面に複数の図柄が付された複数の回転リールと、前記複数の回転リールを回転させるスタートスイッチと、前記複数の回転リールに対応して設けられ、前記回転リールを停止させる複数の停止スイッチと、回転中の前記複数の回転リールの停止を制御するリール制御手段と、前記演出装置を制御する演出制御手段と、を備え、前記複数の回転リールを停止させた際に所定位置に表示し得る図柄組合せを決定する遊技機であって、前記リール制御手段は、前記表示し得る図柄組合せ、又は、前記表示し得る図柄組合せと異なる図柄組合せを所定位置に表示可能となるように前記複数の回転リールを停止可能に制御し、前記演出制御手段は、前記複数の回転リールの一部が停止した際に、前記表示し得る図柄組合せの一部が前記所定位置に表示された場合と、前記表示し得る図柄組合せと異なる図柄組合せの一部が前記所定位置に表示された場合とで、前記演出装置の制御の態様を異ならせることを特徴とする。
【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
先行車を検出する周辺センサ（１２０）を備える車両（１００）に搭載される車両衝突推定装置（１１０）であって、
前記車両の前方に衝突推定領域を設定する衝突推定領域設定部（１１２）と、
前記先行車が前記衝突推定領域内に存在する場合に、前記車両と前記先行車とが衝突する可能性があると推定する衝突推定部（１１４）と、を備え、
前記衝突推定領域設定部は、前記先行車がＵターンすることを推定させる予め定めたＵターン条件を満たす場合に、前記先行車が前記Ｕターン条件を満たさない場合よりも前記車両の進行方向と交差する方向における前記衝突推定領域の幅を、前記車両の対向車線と反対側に向けて拡張する、車両衝突推定装置。
【請求項２】
請求項１に記載の車両衝突推定装置であって、
前記Ｕターン条件は、
前記先行車が前記車両の車幅範囲よりも前記車両の対向車線と反対側の範囲にあるという第１条件と、
前記先行車の進行方向が前記対向車線に向かうように前記車両の進行方向と交差しているという第２条件と、
前記車両の進行方向を基準とした前記先行車の進行方向のなす相対角度と前記相対角度の増加率とのうち少なくとも一方が予め定められた閾値以上であるという第３条件と、のうちの少なくとも１つを含む、車両衝突推定装置。
【請求項３】
請求項２に記載の車両衝突推定装置であって、
前記Ｕターン条件は、更に、
前記先行車の前記車両側のウィンカーが点灯しているという第４条件と、
前記先行車の速度が予め定められた閾値以下であるという第５条件と、のうちの少なくとも１つを含む車両衝突推定装置。
【請求項４】
請求項１から請求項３までのいずれか一項に記載の車両衝突推定装置であって、
前記衝突推定領域は、前記先行車が前記Ｕターン条件を満たす場合、前記先行車のヨー角速度が大きい場合に前記ヨー角速度が小さい場合よりも拡張される、車両衝突推定装置。
【請求項５】
請求項１から請求項４までのいずれか一項に記載の車両衝突推定装置であって、更に、
前記衝突推定部によって前記車両と前記先行車とが衝突する可能性があると推定された場合に、予め定められた衝突回避動作を実行する衝突回避動作実行部（１１６）を備える、車両衝突推定装置。
【請求項６】
先行車を検出する周辺センサを備える車両に搭載される車両衝突推定装置であって、
前記車両の前方に衝突推定領域を設定する衝突推定領域設定部と、
前記先行車が前記衝突推定領域内に存在する場合に、前記車両と前記先行車とが衝突する可能性があると推定する衝突推定部と、を備え、
前記衝突推定領域設定部は、前記先行車がＵターンすることを推定させる予め定めたＵターン条件を満たす場合に、前記先行車が前記Ｕターン条件を満たさない場合よりも前記衝突推定領域を拡張し、
前記Ｕターン条件は、前記先行車の前記車両側のウィンカーが点灯しているという条件を含む、車両衝突推定装置。
【手続補正２】
【補正対象書類名】明細書
【補正対象項目名】０００６
【補正方法】変更
【補正の内容】
【０００６】
本発明の一形態によれば、先行車を検出する周辺センサ（１２０）を備える車両（１００）に搭載される車両衝突推定装置（１１０）が提供される。この車両衝突推定装置は；前記車両の前方に衝突推定領域を設定する衝突推定領域設定部（１１２）と；前記先行車が前記衝突推定領域内に存在する場合に、前記車両と前記先行車とが衝突する可能性があると推定する衝突推定部（１１４）と、を備え；前記衝突推定領域設定部は、前記先行車がＵターンすることを推定させる予め定めたＵターン条件を満たす場合に、前記先行車が前記Ｕターン条件を満たさない場合よりも前記車両の進行方向と交差する方向における前記衝突推定領域の幅を、前記車両の対向車線と反対側に向けて拡張する。
【手続補正書】
【提出日】令和2年2月14日(2020.2.14)
【手続補正１】
【補正対象書類名】特許請求の範囲
【補正対象項目名】全文
【補正方法】変更
【補正の内容】
【特許請求の範囲】
【請求項１】
ベースと、
該ベースに設けられ、箱状の荷物の第１面を第１の吸着方向に吸着可能である第１面吸着部と、
前記第１面に直交する第２面を吸着可能である第２面吸着部と、
前記第１面吸着部が前記第１面を吸着した状態で、前記第２面吸着部を前記第１面吸着部の前記第１の吸着方向の先端よりも基端側に後退した位置と、前記第１面吸着部の先端を超えて前進した位置との間で、前記第２面に平行な平面に沿って回転移動可能である移動機構とを備え、
前記移動機構が、前記第１の吸着方向に直交する第２の吸着方向に前記第２面吸着部を移動可能であるグリッパ。
【請求項２】
前記移動機構は、前記第２面吸着部を前記第２の吸着方向に沿った軸線回りに回転移動可能である請求項１に記載のグリッパ。
【請求項３】
ロボットと、該ロボットに取り付けられるグリッパと、前記ロボットおよび前記グリッパを制御する制御部とを備え、
前記グリッパが、
前記ロボットの手首先端に取り付けられるベースと、
該ベースに設けられ、箱状の荷物の第１面を第１の吸着方向に吸着可能である第１面吸着部と、
前記第１面に直交する第２面に吸着可能である第２面吸着部と、
前記第２面吸着部を前記第１面吸着部の前記第１の吸着方向の先端よりも基端側に後退した位置と、前記第１面吸着部の先端を超えて前進した位置との間で、前記第２面に平行な平面に沿って回転移動可能な移動機構とを備え、
前記制御部は、前記第１面吸着部を前記第１面に吸着させ、前記第１面吸着部を前記第１の吸着方向に後退させることによって前記箱状の荷物を引き出した後、前記第２面吸着部を引き出された前記箱状の荷物の前記第２面に対向するように前記後退した位置から前記前進した位置へ回転移動させ、その後、前記第２面吸着部を前記第２面に近接させて該第２面に吸着させるように、前記ロボットおよび前記グリッパを制御するロボットシステム。
【請求項４】
前記移動機構は、前記第２面吸着部を前記第１の吸着方向に直交する第２の吸着方向に沿った軸線回りに回転移動可能である請求項３に記載のロボットシステム。
【請求項５】
前記移動機構は、前記第２面吸着部を前記第１の吸着方向に直交する第２の吸着方向に沿って移動可能である請求項３に記載のロボットシステム。
【請求項６】
前記ロボットにより前記第１面吸着部を前記荷物の前記第１面に位置決め状態に配置する前に前記第１面および前記第２面の位置を検出するセンサを備える請求項３から請求項５のいずれかに記載のロボットシステム。
【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
各決算端末を通じてゲームのプレイの対価を支払うための決算が実行された場合に、前記決算に関連する関連情報を提供する情報提供システムであって、
前記決算が実行された場合に、当該決算が実行された各決算端末の場所を特定するための決算情報を取得する情報取得手段と、
前記決算情報に基づいて、前記決算が実行された各決算端末の場所に対応する決算場所を特定する場所特定手段と、
各決算端末を識別するための端末識別情報と各決算端末の設置場所を示す場所情報とが互いに関連付けられるように記述された端末データを用いて、前記決算場所に基づく所定の処理を行うことにより他の決算端末を特定する端末特定手段と、
前記端末特定手段の特定結果に基づいて、前記他の決算端末に関連する特典を示す特典情報及び前記他の決算端末の設置場所を案内する案内情報を前記関連情報として提供する情報提供手段と、
を備える、情報提供システム。
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
シャーシ内のプロキシ装置において、
コントロールプレーンを通じて少なくとも１つの装置と関連されたデータに関して前記少なくとも１つの装置と通信する装置通信ロジックと、
前記少なくとも１つの装置に関する情報を要請するクエリ（ｑｕｅｒｙ）をホストから受信するレセプション（ｒｅｃｅｐｔｉｏｎ）ロジックと、
前記少なくとも１つの装置に関するデータを含む応答を前記ホストに伝送する伝送ロジックと、を含み、
前記プロキシ装置は、ＢＭＣ（Ｂａｓｅｂｏａｒｄ  Ｍａｎａｇｅｍｅｎｔ  Ｃｏｎｔｒｏｌｌｅｒ）、ＲＡＩＤ（Ｒｅｄｕｎｄａｎｔ  Ａｒｒａｙ  ｏｆ  Ｉｎｄｅｐｅｎｄｅｎｔ  Ｄｉｓｋｓ）コントローラの一つを含む、ことを特徴とするプロキシ装置。
【請求項２】
前記装置通信ロジックは、前記少なくとも１つの装置に対するＶＰＤ（Ｖｉｔａｌ  Ｐｒｏｄｕｃｔ  Ｄａｔａ）から前記少なくとも１つの装置に対する前記データを読出す読出しロジックを含む、ことを特徴とする請求項１に記載のプロキシ装置。
【請求項３】
前記ＶＰＤは、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）に格納される、ことを特徴とする請求項２に記載のプロキシ装置。
【請求項４】
前記装置通信ロジックは、前記少なくとも１つの装置と関連された前記データに対して前記少なくとも１つの装置をポーリング（ｐｏｌｌｉｎｇ）するポーリング（ｐｏｌｌｉｎｇ）ロジックを含み、前記レセプションロジックは、前記少なくとも１つの装置から前記少なくとも１つの装置と関連された前記データを受信するように動作する、ことを特徴とする請求項１に記載のプロキシ装置。
【請求項５】
前記シャーシは、前記少なくとも１つの装置と関連された前記データからログページ（Ｌｏｇ  Ｐａｇｅ）を生成する前記プロキシ装置と関連された永久（ｐｅｒｍａｎｅｎｔ、不揮発性）格納装置を含む、ことを特徴とする請求項１に記載のプロキシ装置。
【請求項６】
前記伝送ロジックは、前記クエリに応答して、前記ログページを前記ホストに伝送するように動作する、ことを特徴とする請求項５に記載のプロキシ装置。
【請求項７】
プロキシ装置により、少なくとも一つの装置の構成のための少なくとも一つの装置をポーリング（ｐｏｌｌｉｎｇ）する段階と、
前記プロキシ装置で、前記少なくとも１つの装置から前記少なくとも１つの装置の構成に対して少なくとも１つのデータを受信する段階と、
前記データは、コントロールプレーンを通じて前記少なくとも１つの装置から受信され、
前記少なくとも１つのデータを記録（ｒｅｃｏｒｄ）にコンパイル（ｃｏｍｐｉｌｅ）する段階と、
前記プロキシ装置で、前記少なくとも１つの装置の前記構成に対してクエリをホストから受信する段階と、
前記記録を前記プロキシ装置から前記ホストに伝送する段階と、を含み、
前記プロキシ装置は、前記少なくとも１つの装置から前記少なくとも１つのデータを受信し、前記ホストから前記クエリを受信する前に前記少なくとも１つのデータを前記記録にコンパイルする、ことを特徴とするプロキシ装置の動作方法。
【請求項８】
前記プロキシ装置は、ＢＭＣ、ＲＡＩＤコントローラ、プロセッサ、又はソフトウェアプロキシ装置を含むセットから抽出される、ことを特徴とする請求項７に記載のプロキシ装置の動作方法。
【請求項９】
前記プロキシ装置で前記少なくとも１つの装置から前記少なくとも１つの装置の構成に対して前記少なくとも１つのデータを受信する段階は、前記少なくとも１つの装置の中で１つの構成が変化する時、前記少なくとも１つの装置の中で前記１つから前記データを受信する段階を含む、ことを特徴とする請求項７に記載のプロキシ装置の動作方法。
【請求項１０】
前記プロキシ装置で前記少なくとも１つの装置から前記少なくとも１つの装置の構成に対して前記少なくとも１つのデータを受信する段階は、少なくとも１つのＶＰＤから前記少なくとも１つのデータを読出す段階を含む、ことを特徴とする請求項７に記載のプロキシ装置の動作方法。
【請求項１１】
前記少なくとも１つのＶＰＤは、ＥＥＰＲＯＭ内に格納される、ことを特徴とする請求項１０に記載のプロキシ装置の動作方法。
【請求項１２】
前記少なくとも１つのデータを記録にコンパイルする段階は、前記１つのデータからログページを生成する段階を含む、ことを特徴とする請求項７に記載のプロキシ装置の動作方法。
【請求項１３】
前記プロキシ装置から前記ホストに前記少なくとも１つの装置の前記構成を伝送する段階は、前記プロキシ装置から前記ホストに前記ログページを伝送する段階を含む、ことを特徴とする請求項１２に記載のプロキシ装置の動作方法。
【請求項１４】
前記プロキシ装置から前記ホストに前記少なくとも１つの装置の前記構成を伝送する段階は、前記プロキシ装置から前記ホストに前記少なくとも１つのデータを伝送する段階を含む、ことを特徴とする請求項７に記載のプロキシ装置の動作方法。
【請求項１５】
プロキシ装置に係る装置の動作方法において、
前記装置によって、前記装置の構成の変化を判断（ｄｅｔｅｒｍｉｎｅ）する段階と、
コントロールプレーンを通じて、前記装置の前記構成の前記変化に対してプロキシ装置に通知する段階と、
前記プロキシ装置によって読出されるＶＰＤ（Ｖｉｔａｌ  Ｐｒｏｄｕｃｔ  Ｄａｔａ）に、前記装置の前記構成の前記変化を書き込む段階と、を含むことを特徴とする動作方法。
【請求項１６】
前記装置の中で少なくとも１つは、ストレージ装置とＮＩＣとを含むセットから抽出される、ことを特徴とする請求項１５に記載の動作方法。
【請求項１７】
前記装置の前記構成の前記変化に対して前記プロキシ装置に通知する段階は、前記装置の前記構成の前記変化が前記ＶＰＤに書込まれたことを前記プロキシ装置に通知する段階をさらに含む、ことを特徴とする請求項１５に記載の動作方法。
【手続補正書】
【提出日】令和2年1月31日(2020.1.31)
【手続補正１】
【補正対象書類名】特許請求の範囲
【補正対象項目名】全文
【補正方法】変更
【補正の内容】
【特許請求の範囲】
【請求項１】
リチウムと、リンと、硫黄と、
ハロゲン元素から選択される１種以上の元素Ｘと、を含み、
アルジロダイト型結晶構造を含み、
前記リチウムのリンに対するモル比ａ（Ｌｉ／Ｐ）、前記硫黄のリンに対するモル比ｂ（Ｓ／Ｐ）及び前記元素Ｘのリンに対するモル比ｃ（Ｘ／Ｐ）が、下記式（１）〜（３）を満たす、硫化物固体電解質。
５．０≦ａ＜７．３        （１）
０．７０≦ａ−ｂ＜１．０  （２）
７．０＜ａ＋ｃ≦７．３    （３）
（式中、ｂ＞０且つｃ＞０を満たす。）
【請求項２】
下記式（４）で表される組成を満たす、請求項１に記載の硫化物固体電解質。
Ｌｉａ（Ｐ１−ｚＭｚ）ＳｂＸｃ      （４）
（式中、Ｍは、Ｓｉ、Ｇｅ、Ｓｎ、Ｐｂ、Ｂ、Ａｌ、Ｇａ、Ａｓ、Ｓｂ及びＢｉからなる群より選択される１以上の元素であり、Ｘは、Ｆ、Ｃｌ、Ｂｒ及びＩからなる群から選択される１以上の元素である。ａ〜ｃは前記式（１）〜（３）を満たす。ｚは０≦ｚ≦０．３である。）
【請求項３】
ＣｕＫα線を使用した粉末Ｘ線回折において、２θ＝２５．２±０．５ｄｅｇ及び２９．７±０．５ｄｅｇに回折ピークを有する、請求項１又は２に記載の硫化物固体電解質。
【請求項４】
さらに、ＣｕＫα線を使用した粉末Ｘ線回折において、２θ＝１５．３±０．５ｄｅｇ、１７．７±０．５ｄｅｇ、３１．１±０．５ｄｅｇ、４４．９±０．５ｄｅｇ及び４７．７±０．５ｄｅｇの回折ピークのうち少なくとも１つを有する、請求項３に記載の硫化物固体電解質。
【請求項５】
前記回折ピークの範囲が中央値の±０．３ｄｅｇである、請求項３又は４に記載の硫化物固体電解質。
【請求項６】
イオン伝導度が５．０ｍＳ／ｃｍ以上である、請求項１〜５のいずれかに記載の硫化物固体電解質。
【請求項７】
ＣｕＫα線を使用した粉末Ｘ線回折において、２θ＝１７．６±０．４ｄｅｇ及び２θ＝１８．１±０．４ｄｅｇに回折ピーク（アルジロダイト型結晶構造に起因する回折ピークではない）を有しないか、有する場合には下記式（５）を満たす、請求項１〜６のいずれかに記載の硫化物固体電解質。
０＜ＩＡ／ＩＢ＜０．０５      （５）
（式中、ＩＡは２θ＝１７．６±０．４ｄｅｇ及び２θ＝１８．１±０．４ｄｅｇのうちアルジロダイト型結晶構造の回折ピークではないものの回折ピークの強度を表し、ＩＢは２θ＝２９．７±０．５ｄｅｇの回折ピークの強度を表す。）
【請求項８】
請求項１〜７のいずれかに記載の硫化物固体電解質と、活物質を含む電極合材。
【請求項９】
請求項１〜７のいずれかに記載の硫化物固体電解質及び請求項８に記載の電極合材のうち少なくとも１つを含むリチウムイオン電池。
【手続補正書】
【提出日】令和2年4月16日(2020.4.16)
【手続補正１】
【補正対象書類名】特許請求の範囲
【補正対象項目名】全文
【補正方法】変更
【補正の内容】
【特許請求の範囲】
【請求項１】
物体の形状を表すための複数の点の座標を記憶する情報処理装置であって、
前記複数の点により形成される複数の第１の線と、当該複数の線の中の異なる線上にある点同士を接続する第２の線と、に基づいて３次元形状を生成する生成手段と、
を備えることを特徴とする情報処理装置。
【請求項２】
前記複数の線の中の異なる線とは、隣り合う第１の線であることを特徴とする請求項１に記載の情報処理装置。
【請求項３】
前記第１の線は、所定の点から放射状に形成される線であり、前記第２の線は、隣り合う前記第１の線上の点同士を接続する円状の線であることを特徴する請求項１又は２に記載の情報処理装置。
【請求項４】
前記生成手段は、放射状の線である前記第１の線と円状の線である前記第２の線から成る閉領域に面を生成することで３次元形状を生成することを特徴とする請求項１乃至３のいずれか１項に記載の情報処理装置。
【請求項５】
前記生成手段は、前記複数の第１線上において特定される点と、当該点が属する前記第１の線と隣接する前記第１の線上の点と接続する第２の線と、に基づいて前記３次元形状を生成することを特徴とする請求項１乃至４のいずれか１項に記載の情報処理装置。
【請求項６】
物体の形状を表すための複数の点の座標を記憶する情報処理装置の制御方法であって、
前記複数の点により形成される複数の第１の線と、当該複数の線の中の異なる線上にある点同士を接続する第２の線と、に基づいて３次元形状を生成する生成工程と、
を含む制御方法。
【請求項７】
物体の形状を表すための複数の点の座標を記憶する情報処理装置を、
前記複数の点により形成される複数の第１の線と、当該複数の線の中の異なる線上にある点同士を接続する第２の線と、に基づいて３次元形状を生成する生成手段として機能させるためのプログラム。
【請求項８】
物体の形状を表すための複数の点の座標を記憶する記憶装置と、情報処理装置を含む情報処理システムであって、
前記複数の点により形成される複数の第１の線と、当該複数の線の中の異なる線上にある点同士を接続する第２の線と、に基づいて３次元形状を生成する生成手段と、
を備えることを特徴とする情報処理システム。
【請求項９】
物体の形状を表すための複数の点の座標を記憶する記憶装置と、情報処理装置を含む情報処理システムの制御方法であって、
前記複数の点により形成される複数の第１の線と、当該複数の線の中の異なる線上にある点同士を接続する第２の線と、に基づいて３次元形状を生成する生成工程と、
を含む制御方法。
【請求項１０】
物体の形状を表すための複数の点の座標を記憶する記憶装置と、情報処理装置を含む情報処理システムを、
前記複数の点により形成される複数の第１の線と、当該複数の線の中の異なる線上にある点同士を接続する第２の線と、に基づいて３次元形状を生成する生成手段として機能させるためのプログラム。
【手続補正書】
【提出日】令和2年9月2日(2020.9.2)
【手続補正１】
【補正対象書類名】特許請求の範囲
【補正対象項目名】全文
【補正方法】変更
【補正の内容】
【特許請求の範囲】
【請求項１】
上下下降と前進を兼用するプロペラと翼を設ける事を特徴とする高速ドローン等航空機。
【請求項２】
請求項１に於いて、  上昇前進兼用プロペラを、水平飛行用翼に固定し、前記水平飛行用翼は上昇下降時はほぼ垂直に向くよう回転させて、上昇下降し、水平飛行時は仰角を持ったほぼ水平に向くよう回転させ、水平飛行するように飛行する事を特徴とする飛行体。
【請求項３】
請求項２に於いて、水平飛行用翼面をソーラー電池とした事を特徴とする飛行体。
【手続補正書】
【提出日】令和2年8月11日(2020.8.11)
【手続補正１】
【補正対象書類名】特許請求の範囲
【補正対象項目名】請求項４
【補正方法】変更
【補正の内容】
【請求項４】
前記ウレタン（メタ）アクリレートは、下記式１で表される単官能ウレタンアクリレートオリゴマーである、請求項３記載の粘着剤樹脂組成物。
2020097737.tif 000001
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
下記の化学式
2020097577.tif 000001
で表される化合物（２）。
【請求項２】
請求項１に記載の前記化合物（２）と、薬学的に許容される担体とを含む医薬組成物。
【請求項３】
請求項２に記載の医薬組成物であって、
追加の抗がん剤を含むことを特徴とする医薬組成物。
【請求項４】
医薬として使用される、請求項１に記載の化合物又は請求項２に記載の医薬組成物。
【請求項５】
癌の治療に使用される、請求項１に記載の化合物又は請求項２に記載の医薬組成物。
【請求項６】
下記の化学式
2020097577.tif 000002
で表される化合物（１）又はその塩と、
薬学的に許容される担体とを含む医薬組成物であって、
経口投与されるように適合されることを特徴とする医薬組成物。
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
(a)アミノ酸配列:Xaa Lys Val Cys Thr Lys Pro Ser Lys Phe Phe Lys Gly Leu Cys Gly Xaa Asp Xaa Xaa Cys Thr Xaa Ala Cys Xaa Lys Glu Gly Leu Xaa Xaa Gly Xaa Cys Gln Xaa Lys Gly Phe Xaa Asn Xaa Val Cys Val Cys Arg Lys Xaa Cys(SEQ ID NO:24)を有し、ここで1位のXaaがアラニンであるかまたは残基がなく、かつ17、19、20、23、26、31、32、34、37、41、43、および50位におけるXaaが任意のアミノ酸である、植物ディフェンシン、ならびに
(b)有機酸
を含む、局所用製剤。
【請求項２】
洗浄剤、塗布剤、スプレー、クリーム、またはローションである、請求項1記載の局所用製剤。
【請求項３】
植物ディフェンシンが、SEQ ID NO:1、SEQ ID NO:2、SEQ ID NO:3、SEQ ID NO:25、SEQ ID NO:26、およびSEQ ID NO:27からなる群より選択される、請求項1または2記載の局所用製剤。
【請求項４】
植物ディフェンシンが、SEQ ID NO:1、SEQ ID NO:2、およびSEQ ID NO:3からなる群より選択される、請求項3記載の局所用製剤。
【請求項５】
植物ディフェンシンが、SEQ ID NO:25、SEQ ID NO:26、およびSEQ ID NO:27からなる群より選択される、請求項3記載の局所用製剤。
【請求項６】
局所用製剤中の植物ディフェンシンの濃度が、約0.1重量/体積％〜約10重量/体積％である、請求項1〜5のいずれか一項記載の局所用製剤。
【請求項７】
尿素、還元剤、ペルオキシド、リン酸、チオグリコール酸、水酸化カリウム、および水酸化ナトリウムからなる群より選択される透過剤を含まない、請求項1〜6のいずれか一項記載の局所用製剤。
【請求項８】
尿素を含まない、請求項7記載の局所用製剤。
【請求項９】
アルコール、エチレンジアミン四酢酸、グリコール、シクロメチコン、ヒドロキシプロピルセルロース、ヒドロキシプロピルキトサン、ポリビニルピロリドン、アジピン酸ジイソプロピル、ミリスチン酸イソプロピル、および乳酸ミリスチルからなる群より選択される追加の賦形剤をさらに含む、請求項1〜8のいずれか一項記載の局所用製剤。
【請求項１０】
追加の賦形剤が、アルコール、グリコール、およびエチレンジアミン四酢酸からなる群より選択される、請求項9記載の局所用製剤。
【請求項１１】
追加の賦形剤がアルコールである、請求項10記載の局所用製剤。
【請求項１２】
アルコールがエタノールである、請求項11記載の局所用製剤。
【請求項１３】
有機酸が、クエン酸および酢酸からなる群より選択される、請求項1〜12のいずれか一項記載の局所用製剤。
【請求項１４】
有機酸がクエン酸である、請求項13記載の局所用製剤。
【請求項１５】
有機酸が酢酸である、請求項13または14記載の局所用製剤。